(57)【特許請求の範囲】
【請求項１】
多重入力多重出力（ＭＩＭＯ）とデュアルセル高速ダウンリンクパケットアクセス（ＤＣ ＨＳＤＰＡ）との動的スイッチングのために構成された通信デバイスであって、
プロセッサと、
前記プロセッサと電子的通信状態にあるメモリと、
前記メモリに記憶された命令と
を備え、
前記命令は、
１または複数の無線通信デバイスに対して接続セットアップを開始し、
前記１または複数の無線通信デバイスのためにＭＩＭＯおよびＤＣ ＨＳＤＰＡの能力を獲得し、
ＭＩＭＯとＤＣ ＨＳＤＰＡの共存を最適化する
ように、前記プロセッサによって実行可能である、
前記ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）に従って、各セクタの前記無線通信デバイスを分類することと、
負荷が減少した場合に、より高いＥｃ／Ｉｏを有し、ＤＣ ＨＳＤＰＡを使用する無線通信デバイスを、ＭＩＭＯを使用するように切り替えることと、
を備える、通信デバイス。
【請求項２】
前記通信デバイスは、基地局である、請求項１に記載の通信デバイス。
【請求項３】
前記通信デバイスは、ノードＢである、請求項１に記載の通信デバイス。
【請求項４】
前記通信デバイスは、コントローラである、請求項１に記載の通信デバイス。
【請求項５】
前記通信デバイスは、無線ネットワークコントローラ（ＲＮＣ）である、請求項１に記載の通信デバイス。
【請求項６】
各セクタに対するアクティブ無線通信デバイスの有効数を決定することは、
前記サービングＥｃ／Ｉｏを用いて、各無線通信デバイスの無線リンク制御（ＲＬＣ）スループットを分割することと、
ＲＬＣスループット対サービングＥｃ／Ｉｏの最大比率を有する前記無線通信デバイスを決定することと、
前記ＲＬＣスループット対サービングＥｃ／Ｉｏの最大比率を有する無線通信デバイスを１としてカウントすることと、
他の無線通信デバイスをカウントすることと、ここにおいて、各無線通信デバイスのカウントは、前記無線通信デバイスの前記ＲＬＣスループット対サービングＥｃ／Ｉｏ比で割られた前記無線通信デバイスの前記ＲＬＣスループット対サービングＥｃ／Ｉｏ比によってスケーリングされる、
を備える、請求項１に記載の通信デバイス。
【請求項７】
前記ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）に従って、前記各セクタの無線通信デバイスを分類することと、
より低いＥｃ／Ｉｏを有するＭＩＭＯを使用する無線通信デバイスを、ＤＣ ＨＳＤＰＡを使用するように切り替えることと、
を備える、請求項５に記載の通信デバイス。
【請求項８】
前記各セクタに対するアクティブ無線通信デバイスの有効数を決定することは、
前記サービングＥｃ／Ｉｏを用いて、各無線通信デバイスの無線リンク制御（ＲＬＣ）スループットを分割することと、
ＲＬＣスループット対サービングＥｃ／Ｉｏの最大比率を有する前記無線通信デバイスを決定することと、
前記ＲＬＣスループット対サービングＥｃ／Ｉｏの最大比率を有する無線通信デバイスを１としてカウントすることと、
前記別の無線通信デバイスをカウントすることと、ここにおいて、各無線通信デバイスのカウントは、前記上の無線通信デバイスの前記ＲＬＣスループット対サービングＥｃ／Ｉｏ比で割られた前記無線通信デバイスの前記ＲＬＣスループット対サービングＥｃ／Ｉｏ比によってスケーリングされる、
を備える、請求項７に記載の通信デバイス。
【請求項９】
前記ＭＩＭＯとＤＣ ＨＳＤＰＡの共存を最適化することは、
各セクタに対するアクティブ無線通信デバイスの有効数を決定することと、
平均チャネル品質インジケータ（ＣＱＩ）に従って無線通信デバイスを分類することと、ここにおいて、各無線デバイスの前記平均ＣＱＩは、最後の測定報告から獲得され、
負荷が増加した場合に、より高い平均ＣＱＩを有し、ＤＣ ＨＳＤＰＡを使用する無線通信デバイスを、ＭＩＭＯを使用するように切り替えるための要求をコントローラに送信することと、
を備える、請求項２に記載の通信デバイス。
【請求項１０】
前記コントローラは、無線ネットワークコントローラ（ＲＮＣ）である、請求項９に記載の通信デバイス。
【請求項１１】
各セクタに対するアクティブ無線通信デバイスの有効数を決定することは、
各送信時間インターバル（ＴＴＩ）の間に、各無線通信デバイスによって消費される送信電力のパーセンテージをカウントすることと、
各決定期間の間に、各無線通信デバイスの平均電力利用率を計算することと、
前記無線通信デバイスのリソース利用率に従って、前記各セクタに対するアクティブ無線デバイスの有効数における各無線通信デバイスの重みを調整することと、ここにおいて、電力利用率が最大である前記無線通信デバイスは、１としてカウントされ、
その他全ての無線通信デバイスをカウントすることと、ここにおいて、前記各無線通信デバイスの重みは、各無線通信デバイスの前記電力利用率によってスケーリングされる、
を備える、請求項９に記載の通信デバイス。
【請求項１２】
前記ＭＩＭＯとＤＣ ＨＳＰＤＡの共存を最適化することは、
各セクタに対するアクティブ無線通信デバイスの有効数を決定すること、
平均チャネル品質インジケータ（ＣＱＩ）に従って無線通信デバイスを分類することと、ここで、各無線通信デバイスの前記平均ＣＱＩは、最後の測定報告から獲得され、
負荷が減少した場合に、より低い平均ＣＱＩを有するＭＩＭＯを使用する無線通信デバイスを、ＤＣ ＨＳＤＰＡを使用するように切り替えるための要求をコントローラに送信することと
を備える、請求項２に記載の通信デバイス。
【請求項１３】
前記コントローラは、無線ネットワークコントローラ（ＲＮＣ）である、請求項１２に記載の通信デバイス。
【請求項１４】
各セクタに対するアクティブ無線通信デバイスの有効数を決定することは、
各送信時間インターバル（ＴＴＩ）の間に、各無線通信デバイスによって消費される送信電力のパーセンテージをカウントすることと、
各決定期間の間に、各無線通信デバイスの平均電力利用率を計算することと、
前記無線通信デバイスのリソース利用率に従って、各セクタに対するアクティブ無線デバイスの有効数における各無線通信デバイスの重みを調整することと、ここにおいて、電力利用率が最大である前記無線通信デバイスは、１としてカウントされ、
その他全ての無線通信デバイスをカウントすることと、ここにおいて、前記各無線通信デバイスの重みは、前記各無線通信デバイスの電力利用率によってスケーリングされる、
を備える、請求項１２に記載の通信デバイス。
【請求項１５】
多重入力多重出力（ＭＩＭＯ）と、デュアルセル高速ダウンリンクパケットアクセス（ＤＣ ＨＳＤＰＡ）との動的スイッチングのための方法であって、
通信デバイスによって、１または複数の無線通信デバイスに対して接続セットアップを開始することと、
前記通信デバイスによって、前記１または複数の無線通信デバイスのためにＭＩＭＯおよびＤＣ ＨＳＤＰＡの能力を獲得することと、
前記通信デバイスによって、ＭＩＭＯとＤＣ ＨＳＤＰＡの共存を最適化することと
を備え、
前記ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）に従って、各セクタの前記無線通信デバイスを分類することと、
負荷が減少した場合に、より高いＥｃ／Ｉｏを有するＤＣ ＨＳＤＰＡを使用する無線通信デバイスを、ＭＩＭＯを使用するように切り替えることと
を備える、方法。
【請求項１６】
前記通信デバイスは、基地局である、請求項１５に記載の方法。
【請求項１７】
前記通信デバイスは、ノードＢである、請求項１５に記載の方法。
【請求項１８】
前記通信デバイスは、コントローラである、請求項１５に記載の方法。
【請求項１９】
前記通信デバイスは、無線ネットワークコントローラ（ＲＮＣ）である、請求項１５に記載の方法。
【請求項２０】
各セクタに対するアクティブ無線通信デバイスの有効数を決定することは、
前記サービングＥｃ／Ｉｏを用いて、各無線通信デバイスの無線リンク制御（ＲＬＣ）スループットを分割することと、
ＲＬＣスループット対サービングＥｃ／Ｉｏの最大比率を有する前記無線通信デバイスを決定することと、
前記ＲＬＣスループット対サービングＥｃ／Ｉｏの最大比率を有する無線通信デバイスを１としてカウントすることと、
他の無線通信デバイスをカウントすることと、ここにおいて、各無線通信デバイスの前記カウントは、前記無線通信デバイスの前記ＲＬＣスループット対サービングＥｃ／Ｉｏ比で割られた前記無線通信デバイスの前記ＲＬＣスループット対サービングＥｃ／Ｉｏ比によってスケーリングされる、
を備える、請求項１５に記載の方法。
【請求項２１】
前記ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）に従って、各セクタの前記無線通信デバイスを分類することと、
より低いＥｃ／Ｉｏを有するＭＩＭＯを使用する無線通信デバイスを、ＤＣ ＨＳＤＰＡを使用するように切り替えることと、
を備える、請求項１９に記載の方法。
【請求項２２】
各セクタに対するアクティブ無線通信デバイスの有効数を決定することは、
前記サービングＥｃ／Ｉｏを用いて、各無線通信デバイスの無線リンク制御（ＲＬＣ）スループットを分割することと、
ＲＬＣスループット対サービングＥｃ／Ｉｏの最大比率を有する前記無線通信デバイスを決定することと、
前記ＲＬＣスループット対サービングＥｃ／Ｉｏの最大比率を有する無線通信デバイスを１としてカウントすることと、
他の無線通信デバイスをカウントすることと、ここにおいて、各無線通信デバイスの前記カウントは、前記無線通信デバイスの前記ＲＬＣスループット対サービングＥｃ／Ｉｏ比で割られた前記無線通信デバイスの前記ＲＬＣスループット対サービングＥｃ／Ｉｏ比によってスケーリングされる、
を備える、請求項２１に記載の方法。
【請求項２３】
前記ＭＩＭＯとＤＣ ＨＳＤＰＡの共存を最適化することは、
各セクタに対するアクティブ無線通信デバイスの有効数を決定することと、
平均チャネル品質インジケータ（ＣＱＩ）に従って、無線通信デバイスを分類することと、ここにおいて、各無線デバイスの前記平均ＣＱＩは、最後の測定報告から獲得され、
負荷が増加した場合に、高い平均ＣＱＩを有するＤＣ ＨＳＤＰＡを使用する無線通信デバイスを、ＭＩＭＯを使用するように切り替えるための要求をコントローラに送信することと、
を備える、請求項１６に記載の方法。
【請求項２４】
前記コントローラは、無線ネットワークコントローラ（ＲＮＣ）である、請求項２３に記載の方法。
【請求項２５】
各セクタに対するアクティブ無線通信デバイスの有効数を決定することは、
各送信時間インターバル（ＴＴＩ）の間に、各無線通信デバイスによって消費される送信電力のパーセンテージをカウントすることと、
各決定期間の間に、各無線通信デバイスの平均電力利用率を計算することと、
前記無線通信デバイスのリソース利用率に従って、前記各セクタに対するアクティブ無線デバイスの有効数における各無線通信デバイスの重みを調整することと、ここにおいて、電力利用率が最大である前記無線通信デバイスは、１としてカウントされ、
その他全ての無線通信デバイスをカウントすることと、ここにおいて、各無線通信デバイスの前記重みは、各無線通信デバイスの前記電力利用率によってスケーリングされる、
を備える、請求項２３に記載の方法。
【請求項２６】
ＭＩＭＯとＤＣ ＨＳＰＤＡの共存を最適化することは、
各セクタに対するアクティブ無線通信デバイスの有効数を決定すること、
平均チャネル品質インジケータ（ＣＱＩ）によって、無線通信デバイスを分類することと、ここにおいて、各無線通信デバイスの前記平均ＣＱＩは、最後の測定報告から獲得され、
負荷が減少した場合に、より低い平均ＣＱＩを有するＭＩＭＯを使用する無線通信デバイスを、ＤＣ ＨＳＤＰＡを使用するように切り替えるための要求をコントローラに送信することと、
を備える、請求項１６に記載の方法。
【請求項２７】
前記コントローラは、無線ネットワークコントローラ（ＲＮＣ）である、請求項２６に記載の方法。
【請求項２８】
各セクタに対するアクティブ無線通信デバイスの有効数を決定することは、
各送信時間インターバル（ＴＴＩ）の間に、各無線通信デバイスによって消費される送信電力のパーセンテージをカウントすることと、
各決定期間の間に、各無線通信デバイスの平均電力利用率を計算することと、
前記無線通信デバイスのリソース利用率に従って、各セクタに対するアクティブ無線デバイスの有効数における各無線通信デバイスの重みを調整することと、ここにおいて、電力利用率が最大である前記無線通信デバイスは、１としてカウントされ、
その他全ての無線通信デバイスをカウントすることと、ここにおいて、各無線通信デバイスの前記重みは、各無線通信デバイスの前記電力利用率によってスケーリングされる、
を備える、請求項２６に記載の方法。
【請求項２９】
多重入力多重出力（ＭＩＭＯ）とデュアルセル高速ダウンリンクパケットアクセス（ＤＣ ＨＳＤＰＡ）との動的スイッチングのための装置であって、
１または複数の無線通信デバイスに対して接続セットアップを開始するための手段と、
前記１または複数の無線通信デバイスのためにＭＩＭＯおよびＤＣ ＨＳＤＰＡの能力を獲得するための手段と、
ＭＩＭＯとＤＣ ＨＳＤＰＡの共存を最適化するための手段と
を備え、
前記ＭＩＭＯとＤＣ ＨＳＤＰＡの共存を最適化するための手段は、
各セクタに対するアクティブ無線通信デバイスの有効数を決定するための手段と、
最後の測定報告のサービングエネルギー対トータルエネルギー比（Ｅｃ／Ｉｏ）に従って、各セクタの前記無線通信デバイスを分類するための手段と、
負荷が減少した場合に、より高いＥｃ／Ｉｏを有するＤＣ ＨＳＤＰＡを使用する無線通信デバイスを、ＭＩＭＯを使用するように切り替えるための手段と
を備える、装置。
【請求項３０】
前記装置は、基地局である、請求項２９に記載の装置。
【請求項３１】
前記装置は、コントローラである、請求項２９に記載の装置。
【請求項３２】
ＭＩＭＯとＤＣ ＨＳＤＰＡの共存を最適化するための前記手段は、
各セクタに対するアクティブ無線通信デバイスの有効数を決定するための手段と、
最後の測定報告のサービングエネルギー対トータルエネルギー比（Ｅｃ／Ｉｏ）によって、各セクタの前記無線通信デバイスを分類するための手段と、
より低いＥｃ／Ｉｏを有するＭＩＭＯを使用する無線通信デバイスを、ＤＣ ＨＳＤＰＡを使用するように切り替えるための手段と
を備える、請求項３１に記載の装置。
【請求項３３】
前ＭＩＭＯとＤＣ ＨＳＤＰＡの共存を最適化するための前記手段は、
各セクタに対するアクティブ無線通信デバイスの有効数を決定するための手段と、
平均チャネル品質インジケータ（ＣＱＩ）によって無線通信デバイスを分類するための手段と、ここにおいて、各無線デバイスの前記平均ＣＱＩは、最後の測定報告から獲得され、
負荷が増加した場合に、高い平均ＣＱＩを有するＤＣ ＨＳＤＰＡを使用する無線通信デバイスを、ＭＩＭＯを使用するように切り替えるための要求をコントローラに送信するための手段と
を備える、請求項３０に記載の装置。
【請求項３４】
ＭＩＭＯとＤＣ ＨＳＰＤＡの共存を最適化するための前記手段は、
各セクタに対するアクティブ無線通信デバイスの有効数を決定するための手段と、
平均チャネル品質インジケータ（ＣＱＩ）に従って無線通信デバイスを分類するための手段と、ここにおいて、各無線通信デバイスの前記平均ＣＱＩは、最後の測定報告から獲得され、
負荷が減少した場合に、より低い平均ＣＱＩを有するＭＩＭＯを使用する無線通信デバイスを、ＤＣ ＨＳＤＰＡを使用するように切り替えるための要求をコントローラに送信するための手段と、
を備える、請求項３０に記載の装置。
【請求項３５】
多重入力多重出力（ＭＩＭＯ）とデュアルセル高速ダウンリンクパケットアクセス（ＤＣ ＨＳＤＰＡ）との動的スイッチングのために構成されたコンピュータプログラムであって、
１または複数の無線通信デバイスに対して接続セットアップを開始するためのコードと、
前記１または複数の無線通信デバイスのためにＭＩＭＯおよびＤＣ ＨＳＤＰＡの能力を獲得するためのコードと、
ＭＩＭＯとＤＣ ＨＳＤＰＡの共存を最適化するためのコード
を備え、
ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）によって、各セクタの前記無線通信デバイスを分類することと、
負荷が減少した場合に、より高いＥｃ／Ｉｏを有するＤＣ ＨＳＤＰＡを使用する無線通信デバイスを、ＭＩＭＯを使用するように切り替えることと、
を備える、コンピュータプログラム。
【請求項３６】
多重入力多重出力（ＭＩＭＯ）とデュアルセル高速ダウンリンクパケットアクセス（ＤＣ ＨＳＤＰＡ）との動的スイッチングのために構成されたコンピュータプログラムであって、
１または複数の無線通信デバイスに対して接続セットアップを開始するためのコードと、
前記１または複数の無線通信デバイスのためにＭＩＭＯおよびＤＣ ＨＳＤＰＡの能力を獲得するためのコードと、
ＭＩＭＯとＤＣ ＨＳＤＰＡの共存を最適化するためのコード
を備え、
ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）によって各セクタの前記無線通信デバイスを分類することと、
より低いＥｃ／Ｉｏを有するＭＩＭＯを使用する無線通信デバイスを、ＤＣ ＨＳＤＰＡを使用するように切り替えることと、
を備える、コンピュータプログラム。
【請求項３７】
多重入力多重出力（ＭＩＭＯ）とデュアルセル高速ダウンリンクパケットアクセス（ＤＣ ＨＳＤＰＡ）との動的スイッチングのために構成されたコンピュータプログラムであって、
１または複数の無線通信デバイスに対して接続セットアップを開始するためのコードと、
前記１または複数の無線通信デバイスのためにＭＩＭＯおよびＤＣ ＨＳＤＰＡの能力を獲得するためのコードと、
ＭＩＭＯとＤＣ ＨＳＤＰＡの共存を最適化するためのコード
を備え、
ＭＩＭＯとＤＣ ＨＳＤＰＡの共存を最適化することは、
各セクタに対するアクティブ無線通信デバイスの有効数を決定することと、
平均チャネル品質インジケータ（ＣＱＩ）によって無線通信デバイスを分類することと、ここにおいて、各無線デバイスの前記平均ＣＱＩは、最後の測定報告から獲得され、
負荷が増加した場合に、より高い平均ＣＱＩを有するＤＣ ＨＳＤＰＡを使用する無線通信デバイスを、ＭＩＭＯを使用するように切り替えるための要求をコントローラに送信することと、
を備える、コンピュータプログラム。
【請求項３８】
多重入力多重出力（ＭＩＭＯ）とデュアルセル高速ダウンリンクパケットアクセス（ＤＣ ＨＳＤＰＡ）との動的スイッチングのために構成されたコンピュータプログラムであって、
１または複数の無線通信デバイスに対して接続セットアップを開始するためのコードと、
前記１または複数の無線通信デバイスのためにＭＩＭＯおよびＤＣ ＨＳＤＰＡの能力を獲得するためのコードと、
ＭＩＭＯとＤＣ ＨＳＤＰＡの共存を最適化するためのコード
を備え、
ＭＩＭＯとＤＣ ＨＳＰＤＡの共存を最適化することは、
各セクタに対するアクティブ無線通信デバイスの有効数を決定すること、
平均チャネル品質インジケータ（ＣＱＩ）によって無線通信デバイスを分類することと、ここにおいて、各無線通信デバイスの前記平均ＣＱＩは、最後の測定報告から獲得され、
負荷が減少した場合に、より低い平均ＣＱＩを有するＭＩＭＯを使用する無線通信デバイスを、ＤＣ ＨＳＤＰＡを使用するように切り替えるための要求をコントローラに送信することと、
備える、コンピュータプログラム。
【発明の詳細な説明】
【関連出願】
【０００１】
本出願は、２００９年５月１９日に出願された「Methods and Apparatus for Dynamic Switching Between MIMO and DC HSDPA」と題する米国仮出願６１／１７９６８１号に関連し、その優先権を主張する。
【技術分野】
【０００２】
本開示は一般に、通信システムに関する。より詳細には、本開示は、多重入力多重出力（ＭＩＭＯ）とデュアルセル高速ダウンリンクパケットアクセス(ＤＣ ＨＳＤＰＡ）との動的スイッチングに関する。
【背景技術】
【０００３】
無線通信システムは、音声、ビデオ、データのような様々なタイプの通信コンテンツを提供するために広く展開される。これらのシステムは、複数の端末が、１または複数の基地局と同時に通信することをサポートすることができる多元接続システムでありうる。
【０００４】
本明細書で使用される場合、「モバイル局（mobile station）」という単語は、無線通信ネットワーク上の音声および／またはデータ通信に使用されうる電子デバイスを指す。モバイル局の例は、セルラ電話、携帯情報端末（ＰＤＡ）、ハンドヘルドデバイス、無線モデム、ラップトップコンピュータ、パーソナルコンピュータなどを含む。モバイル局は、別名、アクセス端末、モバイル局、加入者局、リモート局、ユーザ端末、端末、加入者ユニット、ユーザ機器などと呼ばれうる。
【０００５】
無線通信ネットワークは、各々が基地局によってサービス提供されうる多数の無線通信デバイスに通信を提供しうる。基地局は、別名、アクセスポイント、ノードＢ、または、ある別の用語で呼ばれうる。
【０００６】
無線通信デバイスは、アップリンクまたはダウンリンク上の伝送を介して１または複数の基地局と通信しうる。アップリンク（または、逆方向リンク）は、モバイル局から基地局への通信リンクを指し、ダウンリンク（または、順方向リンク）は、基地局からモバイル局への通信リンクを指す。
【０００７】
ＭＩＭＯとＤＣ ＨＳＤＰＡの両方を実施する無線通信ネットワークの動作に関連する、改善されたシステムおよび方法によって、利益が実現されうる。
【発明の概要】
【０００８】
多重入力多重出力（ＭＩＭＯ）と、デュアルセル高速ダウンリンクパケットアクセス（ＤＣ ＨＳＤＰＡ）との動的スイッチングのために構成された通信デバイスが開示される。通信デバイスは、プロセッサと、メモリに記憶された命令とを含む。通信デバイスは、１または複数の無線通信デバイスに対して接続セットアップを開始し、その１または複数の無線通信デバイスのためにＭＩＭＯとＤＣ ＨＳＤＰＡの能力を獲得し、ＭＩＭＯとＤＣ ＨＳＤＰＡの共存（coexistence）を最適化する。
【０００９】
通信デバイスは、基地局でありうる。通信デバイスは、ノードＢでありうる。通信デバイスは、コントローラでありうる。通信デバイスは、無線ネットワークコントローラ（ＲＮＣ）でありうる。ＭＩＭＯとＤＣ ＨＳＤＰＡの共存を最適化することは、各セクタに対するアクティブ無線通信デバイスの有効数を決定することと、最後の測定報告のサービングエネルギー対トータルエネルギー比（Ｅｃ／Ｉｏ）に従って各セクタの無線通信デバイスを分類することと、負荷が増加した場合に、より高いＥｃ／Ｉｏを有し、ＤＣ ＨＳＤＰＡを使用する無線通信デバイスを、ＭＩＭＯを使用するように切り替えることとを含みうる。
【００１０】
各セクタに対っするアクティブ無線通信デバイスの有効数を決定することは、サービングＥｃ／Ｉｏを用いて、各無線通信デバイスの無線リンク制御（ＲＬＣ）スループットを分割することと、ＲＬＣスループット対サービングＥｃ／Ｉｏの比率が最大である無線通信デバイスを決定することと、ＲＬＣスループット対サービングＥｃ／Ｉｏの比率が最大である無線通信デバイスを１としてカウントすることと、その他の無線通信デバイスをカウントすることとを含み、各無線通信デバイスのカウントは、上の無線通信デバイスのＲＬＣスループット対サービングＥｃ／Ｉｏ比で割られた無線通信デバイスのＲＬＣスループット対サービングＥｃ／Ｉｏ比によってスケーリングされうる。
【００１１】
ＭＩＭＯとＤＣ ＨＳＤＰＡの共存を最適化することは、各セクタに対するアクティブ無線通信デバイスの有効数を決定することと、最後の測定報告の、サービングエネルギー対トータルエネルギー比（Ｅｃ／Ｉｏ）に従って各セクタの無線通信デバイスを分類することと、より低いＥｃ／Ｉｏを有し、ＭＩＭＯを使用する無線通信デバイスを、ＤＣ ＨＳＤＰＡを使用するように切り替えることとを含みうる。
【００１２】
各セクタに対するアクティブ無線通信デバイスの有効数を決定することは、サービングＥｃ／Ｉｏを用いて、各無線通信デバイスの無線リンク制御（ＲＬＣ）スループットを分割することと、ＲＬＣスループット対サービングＥｃ／Ｉｏの比率が最大である無線通信デバイスを決定することと、ＲＬＣスループット対サービングＥｃ／Ｉｏの比率が最大である無線通信デバイスを１としてカウントすることと、その他の無線通信デバイスをカウントすることとを含み、各無線通信デバイスのカウントは、上の無線通信デバイスのＲＬＣスループット対サービングＥｃ／Ｉｏ比で割られた無線通信デバイスのＲＬＣスループット対サービングＥｃ／Ｉｏ比によってスケーリングされうる。
【００１３】
ＭＩＭＯとＤＣ ＨＳＤＰＡの共存を最適化することは、各セクタに対するアクティブ無線通信デバイスの有効数を決定すること、平均チャネル品質インジケータ（ＣＱＩ）に従って無線通信デバイスを分類すること、ここで、各無線通信デバイスの平均ＣＱＩは、最後の測定報告から獲得され、負荷が増加した場合に、より高い平均ＣＱＩを有し、ＤＣ ＨＳＤＰＡを使用する無線通信デバイスを、ＭＩＭＯを使用するように切り替えるための要求をコントローラに送信することとを含みうる。コントローラは、無線ネットワークコントローラ（ＲＮＣ）でありうる。
【００１４】
各セクタに対するアクティブ無線通信デバイスの有効数を決定することは、各送信時間インターバル（ＴＴＩ）の間に、各無線通信デバイスによって消費される送信電力のパーセンテージをカウントすることと、各決定期間の間に各無線通信デバイスの平均電力利用率（average power utilization）を計算することと、無線通信デバイスのリソース利用率に従って、各セクタに対するアクティブ無線通信デバイスの有効数における各無線通信デバイスの重みを調整することと、ここで、電力利用率が最大である無線通信デバイスは、１としてカウントされ、その他全ての無線通信デバイスをカウントすることと、ここで、各無線通信デバイスの重みは、各無線通信デバイスの電力利用率によってスケーリングされうる、を含みうる。
【００１５】
ＭＩＭＯとＤＣ ＨＳＤＰＡの共存を最適化することは、各セクタに対するアクティブ無線通信デバイスの有効数を決定することと、平均チャネル品質インジケータ（ＣＱＩ）に従って無線通信デバイスを分類することと、ここで、各無線通信デバイスの平均ＣＱＩは、最後の測定報告から獲得され、負荷が減少した場合に、より低い平均ＣＱＩを有し、ＭＩＭＯを使用する無線通信デバイスを、ＤＣ ＨＳＤＰＡを使用するように切り替えるための要求をコントローラに送信することとを含みうる。コントローラは、無線ネットワークコントローラ（ＲＮＣ）でありうる。
【００１６】
各セクタに対するアクティブ無線通信デバイスの有効数を決定することは、各送信時間インターバル（ＴＴＩ）の間に、各無線通信デバイスによって消費される送信電力のパーセンテージをカウントすることと、各決定期間の間に各無線通信デバイスの平均電力利用率を計算することと、無線通信デバイスのリソース利用率に従って、各セクタに対するアクティブ無線通信デバイスの有効数における各無線通信デバイスの重みを調整することと、ここで、電力利用率が最大である無線通信デバイスは、１としてカウントされ、その他全ての無線通信デバイスをカウントすることと、ここで、各無線通信デバイスの重みは、各無線通信デバイスの電力利用率によってスケーリングされうる、を含みうる。
【００１７】
多重入力多重出力（ＭＩＭＯ）とデュアルセル高速ダウンリンクパケットアクセス（ＤＣ ＨＳＤＰＡ）との動的スイッチングのための方法がさらに開示される。方法は、通信デバイスにより、１または複数の無線通信デバイスに対して接続セットアップを開始することを含む。方法は、さらに、その１または複数の無線通信デバイスのためにＭＩＭＯとＤＣ ＨＳＤＰＡの能力を獲得することと、ＭＩＭＯとＤＣ ＨＳＤＰＡの共存を、通信デバイスによって、最適化することとを含む。
【００１８】
多重入力多重出力（ＭＩＭＯ）と、デュアルセル高速ダウンリンクパケットアクセス（ＤＣ ＨＳＤＰＡ）との動的スイッチングのための装置が開示もされる。その装置は、１または複数の無線通信デバイスに対して接続セットアップを開始するための手段と、その１または複数の無線通信デバイスのためにＭＩＭＯとＤＣ ＨＳＤＰＡの能力を獲得するための手段と、ＭＩＭＯとＤＣ ＨＳＤＰＡの共存を最適化するための手段とを含む。
【００１９】
多重入力多重出力（ＭＩＭＯ）と、デュアルセル高速ダウンリンクパケットアクセス（ＤＣ ＨＳＤＰＡ）の動的スイッチングのために構成されたコンピュータプログラムプロダクトも開示される。コンピュータプログラムプロダクトは、命令を有するコンピュータ可読媒体を含む。命令は、１または複数の無線通信デバイスに対して接続セットアップを開始するためのコードと、その１または複数の無線通信デバイスのためにＭＩＭＯとＤＣ ＨＳＤＰＡの能力を獲得するためのコードと、ＭＩＭＯとＤＣ ＨＳＤＰＡの共存を最適化するためのコードとを含む。
【図面の簡単な説明】
【００２０】
【図１】図１は、多重入力多重出力（ＭＩＭＯ）とデュアルセル高速ダウンリンクパケットアクセス（ＤＣ ＨＳＤＰＡ）との動的スイッチングのためのシステムおよび方法が実施されうる無線通信システムの１つの構成を示すブロック図である。
【図２】図２は、無線通信システムの例を示すブロック図である。
【図３】図３は、無線通信システムの別の例を示すブロック図である。
【図３Ａ】図３Ａは、コントローラによる、ＭＩＭＯとＤＣ ＨＳＤＰＡとの動的スイッチングのための方法の１つの構成を示すフロー図である。
【図４】図４は、ＭＩＭＯとＤＣ ＨＳＤＰＡとの動的スイッチングのためのコントローラの１つの構成を示すブロック図である。
【図５】図５は、コントローラによる、ＭＩＭＯとＤＣ ＨＳＤＰＡとの動的スイッチングのための方法の１つの構成を示すフロー図である。
【図６】図６は、ＭＩＭＯとＤＣ ＨＳＤＰＡとの動的スイッチングのための基地局の１つの構成を示すブロック図である。
【図７】図７は、基地局およびコントローラによる、ＭＩＭＯとＤＣ ＨＳＤＰＡとの動的スイッチングのための方法の別の構成を示すフロー図である。
【図８】図８は、通信デバイスに含まれうるあるコンポーネントを示す。
【詳細な説明】
【００２１】
本明細書で使用される場合、「基地局（base station）」という用語は、一般的に、通信ネットワークへのアクセスを提供することができる通信デバイスを表す。通信ネットワークの例は、電話ネットワーク（例えば、公衆交換電話ネットワーク（ＰＳＴＮ）のような「陸線（land-line）」ネットワークあるいはセルラ電話ネットワーク）、インターネット、ローカルエリアネットワーク（ＬＡＮ）、広域ネットワーク（ＷＡＮ）、メトロポリタンエリアネットワーク（ＭＡＮ）などを含が、それに限定されない。基地局の例は、例えば、セルラ電話の基地局またはノード、アクセスポイント、無線ゲートウェイ、および無線ルータを含む。基地局は、第３世代パートナーシッププロジェクト（３ＧＰＰ）、３ＧＰＰ ＬＴＥ（Long Term Evolution）（例えば、基地局が、ノードＢ、発展型ノードＢ（ｅＮＢ）などとも呼ばれうる）、およびＩＥＥＥ ８０２．１６（例えば、ＷｉＭＡＸ（Worldwide Interoperability for Microwave Access））のような、ある業界標準に従って動作しうる。基地局が満たしうる標準の別の例は、アメリカ電気電子学会（ＩＥＥＥ）８０２.１１ａ、８０２.１１ｂ、８０２.１１ｇ、８０２.１１ｎ、８０２.１１ａｃ（例えば、Ｗｉ−Ｆｉ（Wireless Fidelity））標準を含みうる。本明細書に開示されるシステムおよび方法のいくつかは、１または複数の標準に関して記述されうるが、そのシステムおよび方法は、多数のシステムおよび／または標準に適用可能でありうるため、これによって本開示の範囲が限定されるべきではない。
【００２２】
本明細書で使用される場合、「無線通信デバイス（wireless communication device）」という用語は、一般的に、基地局に無線で接続しうる通信デバイス（例えば、アクセス端末、クライアントデバイス、クライアント局など）を表す。無線通信デバイスは、別名、モバイルデバイス、モバイル局、加入者局、ユーザ機器（ＵＥ）、リモート局、アクセス端末、モバイル端末、端末、ユーザ端末、加入者ユニットなどと呼ばれうる。無線通信デバイスの例は、ラップトップまたはデスクトップコンピュータ、セルラ電話、スマートフォン、無線モデム、電子リーダ（e-reader）、タブレットデバイス（tablet device）、ゲーミングシステムなどを含む。無線通信デバイスは、基地局に関して上に記述された１または複数の業界標準に従って動作しうる。このように、「無線通信デバイス」という一般用語は、業界標準に従った様々な名称（例えば、アクセス端末、ユーザ機器（ＵＥ）、リモート端末など）を用いて記述される無線通信デバイスを含みうる。
【００２３】
様々な構成が、同様の参照番号が機能的に類似したエレメントを示しうる図に関してここに記述される。本明細書において、図で全体的に記述および例示されるシステムおよび方法は、様々な異なる構成で配列および設計されうる。かくして、次に続く、図に表されるいくつかの構成のより詳細な記述は、請求される範囲の限定を企図せず、単に、システムおよび方法の代表にすぎない。
【００２４】
図１は、多重入力多重出力（ＭＩＭＯ）とデュアルセル高速ダウンリンクパケットアクセス（ＤＣ ＨＳＤＰＡ）との動的スイッチングのためのシステムおよび方法が実施されうる無線通信システム１００の１つの構成を示すブロック図である。無線通信システム１００は、基地局１１２、コントローラ１１６、および、１または複数の無線通信デバイス１０２ａ〜ｃを含む。基地局１１２は、１または複数のアンテナ１２０を使用して無線通信信号を送信および／または受信する。追加の基地局（図示されない）が、無線通信システム１００に含まれうる。基地局１１２は、さらに、アクセスポイント、ブロードキャスト送信機、ノードＢ、発展型ノードＢなどと呼ばれ、それらの機能性のうちのいくつかあるいは全てを含みうる。
【００２５】
一般に、基地局１１２は、セル１１８に対応する。「セル（cell）」という用語は、一般に、基地局１１２によってサービス提供される特定の地理エリアを指す。セル１１８内の１または複数の無線通信デバイス１０２ａ〜ｃは、各々、１または複数のアンテナ１０４ａ〜ｃを使用して基地局１１２と無線で通信することができる。セル１１８は、さらに、１または複数のセクタ１０６ａ〜ｃに分割されうる。例えば、セル１１８は、セクタＡ １０６ａ、セクタＢ １０６ｂ、および、セクタＣ １０６ｃを含みうる。基地局１１２は、セクタ１０６ａ〜ｃの間で、通信リソース（例えば、電力、周波数、空間、時間など）を分割および／または再利用することができる。図１で例証されるように、各セクタ１０６ａ〜ｃは、１または複数の無線通信デバイス１０４ａ〜ｃを含みうる。例えば、１または複数の無線通信デバイスＡ １０２ａは、セクタＡ １０６ａに設置され、１または複数の通信デバイスＢ １０２ｂは、セクタＢ １０６ｂに設置され、１または複数の無線通信デバイスＣ １０２ｃは、セクタＣ １０６ｃに設置されうる。
【００２６】
基地局１１２は、さらに、コントローラ１１６と通信することができる。コントローラ１１６は、基地局１１２の動作を制御しうる。例えば、コントローラ１１６は、リソース（例えば、時間、周波数、空間、電力など）を１または複数の無線通信デバイス１０２ａ〜ｃにスケジュールまたは割り当てうる。コントローラ１１６の１つの例は、３ＧＰＰの仕様に準拠した無線ネットワークコントローラ（ＲＮＣ）である。基地局１１２および／またはコントローラ１１６は、通信デバイスと呼ばれうる。本明細書で使用される場合、「通信デバイス（communication device）」という用語は、コントローラ１１６、基地局１１２、１または複数のコントローラ１１６および／または１または複数の基地局１１２の組み合わせ、および／または、追加の無線通信システム１００の構造を指しうる。例えば、１または複数のノードＢおよび／または１または複数のＲＮＣは、通信デバイスでありうる。
【００２７】
無線通信デバイス１０２は、さらに、端末、アクセス端末、ユーザ機器（ＵＥ）、加入者ユニット、局などと呼ばれ、且つ、それらの機能性のうちのいくつかあるいは全てを含みうる。無線通信デバイス１０２は、セルラ電話、携帯情報端末（ＰＤＡ）、無線デバイス、無線モデム、ハンドヘルドデバイス、ラップトップコンピュータなどでありうる。無線通信デバイス１０２は、任意の所与の時間に、ダウンリンク（ＤＬ）および／またはアップリンク（ＵＬ）上で、０、１または複数の基地局１１２と通信しうる。ダウンリンク（または、順方向リンク）は、基地局１１２から無線通信デバイス１０２への通信リンクを指し、アップリンク（または、逆方向リンク）は、無線通信デバイス１０２から基地局１１２への通信リンクを指す。
【００２８】
無線通信システム１００（例えば、多元接続システム）の無線通信デバイス１０２と基地局１１２との間の通信は、順方向リンクおよび／または逆方向リンクから構成される無線リンク上の伝送を通して発生しうる。無線リンクは、単一入力単一出力（ＳＩＳＯ）、多重入力単一出力（ＭＩＳＯ）、あるいは、多重入力多重出力（ＭＩＭＯ）システムを使用して確立されうる。ＭＩＭＯシステムは、データ送信のために、複数の送信アンテナを備える１または複数の送信機および複数の受信アンテナを備える１または複数の受信機を含む。ＳＩＳＯおよびＭＩＳＯシステムは、ＭＩＭＯシステムの特定の例である。ＭＩＭＯシステムは、複数の送信アンテナおよび受信アンテナによって作成される追加の次元性（dimensionality）が利用されると、改善された性能（例えば、より高いスループット、より大きい容量、または改善された信頼性）を提供することができる。
【００２９】
無線通信システム１００は、ＭＩＭＯを利用することができる。送信機では、データストリームの各部分が、異なるアンテナから送信されうる。受信機では、データストリームの異なる部分が、異なるアンテナによって受信され、次に結合されうる。
【００３０】
無線通信システム１００は、利用可能なシステムリソース（例えば、帯域幅、送信電力など）を共有することによって、複数の無線通信デバイス１０２ａ〜ｃとの通信をサポートすることができる多元接続システムでありうる。そのような多元接続システムの例は、符号分割多元接続（ＣＤＭＡ）システム、広域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システム、および、空間分割多元接続（ＳＤＭＡ）システムを含む。
【００３１】
基地局１１２は、ＭＩＭＯおよびＤＣ ＨＳＤＰＡを利用しうる。これは、例えば、３ＧＰＰ Ｗ−ＣＤＭＡリリース８に従って実行されうる。ＤＣ ＨＳＤＰＡにおいて、ダウンリンクキャリアにわたり、同時リソース割当および負荷分散を使用することによって、改善されたリソース利用率およびスペクトル効率が達成されうる。無線通信システム１００（例えば、３ＧＰＰリリース８のネットワーク）は、ＤＣ ＨＳＤＰＡとＭＩＭＯを同時に使用することができる。１または複数の無線通信デバイス１０２ａ〜ｃは、２つのサービス（ＭＩＭＯまたはＤＣ ＨＳＤＰＡ）のいずれかを使用して基地局１１２からダウンリンク信号を受信することができる。しかしながら、無線通信デバイス１０２ａ〜ｃは、ＤＣ ＨＳＤＰＡとＭＩＭＯの両方を同時に使用することはできない。このように、コントローラおよび／または基地局（例えば、リリース８のネットワーク）は、ＭＩＭＯサービスかＤＣ ＨＳＤＰＡサービスのいずれかを、１または複数の無線通信デバイス１０２ａ〜ｃに割り当てうる。換言すると、各無線通信デバイス１０２ａ〜ｃは、ＤＣ ＨＳＤＰＡ信号１１０またはＭＩＭＯ信号１０８を基地局１１２から受信しうる。
【００３２】
コントローラ１１６および／または基地局１１２は、動的スイッチングモジュール１４４ａ〜ｂを使用して、ＤＣ ＨＳＤＰＡサービス（例えば、ＤＣ ＨＳＤＰＡ信号１１０を使用する）またはＭＩＭＯサービス（例えば、ＭＩＭＯ信号１０８を使用する）を無線通信デバイス１０２ａ〜ｃの各々に割り当てることができる。例えば、無線通信デバイス１０２が、現在、ＭＩＭＯ １０８を使用して基地局１１２と通信している場合に、ＤＣ ＨＳＤＰＡ １１０を使用して基地局１１２と通信することは、無線通信デバイス１０２にとって有益となりうる。同様に、無線通信デバイス１０２が、現在、ＤＣ ＨＳＤＰＡ １１０を使用して基地局と１１２と通信している場合に、ＭＩＭＯ １０８を使用して基地局１１２と通信することは、無線通信デバイス１０２にとって有益となりうる。コントローラ１１６および／または基地局１１２は、サービス割当のために特定のルールまたは手順に従いうる。各無線通信デバイス１０２のサービス割当は、動的スイッチングモジュールＡ １１４ａおよび／または動的スイッチングモジュールＢ １１４ｂを使用して動的に変更されうる。
【００３３】
ＭＩＭＯ １０８およびＤＣ ＨＳＤＰＡ １１０の利益は、容量利得という観点から分析されうる。ＭＩＭＯ １０８およびＤＣ ＨＳＤＰＡ １１０の利益は、さらに、または、あるいは、スペクトル効率改善という観点から分析されうる。公正な比較として、Ｎ個の無線通信デバイス１０２ａ〜ｃが各キャリアに存在する状態で、２×Ｎ個の無線通信デバイス１０２ａ〜ｃが、セクタ１０６ａ〜ｃに存在しうる。
【００３４】
ＭＩＭＯ １０８は、余剰の自由度から利得を提供することができる。例えば、ＭＩＭＯ １０８は、ビームフォーミングおよび空間ダイバーシティの使用を可能にすることができる。ＭＩＭＯ １０８を利用する利得は、チャネルタイプに依存しうる。ＭＩＭＯ １０８の利得は、高い信号対干渉雑音比（ＳＩＮＲ）における高散乱性（rich scattering）の静的チャネルで最大でありうる。ＭＩＭＯ １０８は、セル１１８のエッジに近い無線通信デバイス１０２よりもセル１１８の中心に近い無線通信デバイス１０２（例えば、ＵＥ）に有益となりうる。ＭＩＭＯ １０８において、マルチユーザ（例えば、無線通信デバイス１０２）ダイバーシティは、空間ダイバーシティにより減らされうる。
【００３５】
ＤＣ ＨＳＤＰＡ １１０は、主に、マルチプルユーザ（例えば、無線通信デバイス１０２）ダイバーシティから利得を提供しうる。ＤＣ ＨＳＤＰＡ １１０の利得は、存在する無線通信デバイス１０２（例えば、ＵＥ）の数が少ない場合に最大でありうる。ＤＣ ＨＳＤＰＡ １１０の利得は、さらに、セル１１８のエッジにおいて大きくなりうる。セクタ１０６内の無線通信デバイス１０２の数が１よりも多くない場合、ＤＣ ＨＳＤＰＡ １１０は、余剰な自由度および余分な基地局１１２電力を提供することができる。
【００３６】
各特徴の利益を示すために、ＭＩＭＯ １０８とＤＣ ＨＳＤＰＡ １１０との違いを比較するシミュレーションが使用されうる。シミュレーション条件（simulation assumption）は、ラップアラウンド型の１９個の基地局（例えばノードＢ）の使用を含みうる。基地局は、１０００メートル（ｍ）のサイト間距離を有する。あるチャネル条件（channel assumption）が立てられる。１つの種類のチャネル（例えば、ＰＡ３チャネル）について、複数の周波数およびアンテナ対をまたぐ独立フェージングが発生しうることが仮定されうる。直交チャネル雑音シミュレータ（ＯＣＮＳ）＝０であることが仮定されうる。ここで、基地局１１２（例えば、ノードＢ）は、データが利用可能な場合にのみ全電力で送信する。さらに、サービングセルとサービングセル以外との間に余分な分離が存在していないと仮定されうる。
【００３７】
無線通信デバイス１０２（例えば、ＵＥ）の数が小さい場合には、ＤＣ ＨＳＤＰＡ １１０は、ＭＩＭＯ １０８より性能が優れうる。例えば、セクタ１０６に対する無線通信デバイス１０２（例えば、ＵＥ）の数が１より多くない場合、ＤＣ ＨＳＤＰＡ １１０は、無線通信デバイス１０２に対して２倍の電力および帯域幅を有しているため、無線通信１０２により良いサービスを提供することができる。無線通信デバイス１０２の数が大きい場合、マルチユーザダイバーシティは極小であるか、あるいは減らされ、ＭＩＭＯ １０８の利得が、ＤＣ ＨＳＤＰＡ１１０の利得よりも極めて高くなりうる。ＤＣ ＨＳＤＰＡ １１０の利得は、セル１１８のエッジの無線通信デバイス１０２（例えば、ＵＥ）に対して、より高くなりうる。さらに、ＤＣ ＨＳＤＰＡ １１０の利得は、無線通信デバイス１０２（例えば、ＵＥ）の数と共に減少しうる。例えば、より多くの数の無線通信デバイス１０２がシミュレートされる場合には、結局、ＤＣ ＨＳＤＰＡ １１０よりもＭＩＭＯ １０８の性能が優れる。
【００３８】
軽負荷の無線通信システム１００において、ＤＣ ＨＳＤＰＡ １１０を使用する無線通信デバイス１０２（例えば、ＵＥ）は、ＭＩＭＯ １０８を使用する無線通信デバイス１０２よりも多く存在しうる。１つの構成において、軽負荷の無線通信システム１００は、ＤＣ ＨＳＤＰＡ １１０を使用する無線通信デバイス１０２（例えば、ＵＥ）のみを含みうる。負荷が増えるにつれ、セル１１８の中心にある無線通信デバイス１０２（例えば、ＵＥ）から開始して、ますます多くの無線通信デバイス１０２がＭＩＭＯ １０８に割り当てられうる。データトラフィックが本質的にバースト的でありうるため、負荷は、セクタ１０６内のアクティブ無線通信デバイス１０２（例えば、ＵＥ）の数で測定されうる。コントローラ１１６（例えば、ＲＮＣ）は、ある期間の間のスループット統計値（例えば、無線リンク制御（ＲＬＣ）のスループット統計値）と、無線通信デバイス１０２の間のスループット分布とを使用して、負荷を測定しうる。基地局１１２および／またはコントローラ１１６（例えば、リリース８のネットワーク）は、接続セットアップ（例えば、無線リソース制御（ＲＲＣ）接続セットアップ）の間に、ＭＩＭＯ １０８およびＤＣ ＨＳＤＰＡ １１０の両方に対する各無線通信デバイス１０２の能力を獲得しうる。
【００３９】
図２は、無線通信システム２００の例を示すブロック図である。無線通信システム２００は、１または複数のアンテナ２２０を使用して、無線通信デバイスＡ ２０２ａおよび無線通信デバイスＢ ２０２ｂと通信する基地局２１２を含みうる。無線通信デバイスＡ ２０２ａは、１または複数のアンテナ２０４ａを含み、無線通信デバイスＢ ２０４ｂは、１または複数のアンテナ２０４ｂを含みうる。図２の無線通信システム２００において、無線通信デバイスＡ ２０２ａは、ＭＩＭＯ ２０８を使用して基地局２１２と通信しうる。無線通信デバイスＢ ２０２ｂは、ＤＣ ＨＳＤＰＡ ２１０を使用して基地局２１２と通信しうる。コントローラ２１６（例えば、ＲＮＣ）は、基地局２１２を制御しうる。例えば、ＲＮＣは、ＵＭＴＳ（Universal Mobile Telecommunications System）無線アクセスネットワーク（ＵＴＲＡＮ）においてノードＢを制御しうる。コントローラ２１６は、動的スイッチングモジュールＡ ２１４ａを含みうる。あるいは、または、さらに、基地局２１２は、動的スイッチングモジュールＢ ２１４ｂを含みうる。動的スイッチングモジュールＡ ２１４ａおよび／または動的スイッチングモジュールＢ ２１４ｂは、無線通信デバイス２０２ａ〜ｂによって使用されるサービス（例えば、ＭＩＭＯ ２０８またはＤＣ ＨＳＤＰＡ ２１０）を切り替えるために使用されうる。
【００４０】
図３は、無線通信システム３００の別の例を示すブロック図である。図３の無線通信システム３００は、異なる時間に、図２の無線通信システム２００と同一でありうる。無線通信システム３００は、コントローラ３１６（例えば、ＲＮＣ）、基地局３１２（例えば、ノードＢ）、無線通信デバイスＡ ３０２ａ、および無線通信デバイスＢ ３０２ｂを含みうる。無線通信デバイスＡ ３０２ａは、以前、ＭＩＭＯ ２０８を使用して基地局３１２（例えば、ノードＢ）と通信していた（図２参照）。しかしながら、コントローラ３１６および／または基地局３１２は、無線通信デバイスＡ ３０２ａをＤＣ ＨＳＤＰＡ Ａ ３１０ａに割り当てていた。例えば、動的スイッチングモジュールＡ ３１４ａは、無線通信デバイスＡ ３０２ａを、ＭＩＭＯ ２０８からＤＣ ＨＳＤＰＡ Ａ ３１０ａに切り替えるために、コントローラ３１６によって使用していた。このように、無線通信デバイスＡ ３０２ａは、現在、基地局３１２と、ＤＣ ＨＳＤＰＡ Ａ ３１０ａを使用して通信しうる。別の構造において、基地局３１２の動的スイッチングモジュールＢ ３１４ｂ並びに基地局３１６の動的スイッチングモジュールＢ ３１４ａは、無線通信デバイスＡ ３０２ａを、ＭＩＭＯ ２０８からＤＣ ＨＳＤＰＡ Ａ ３１０ａに切り替えていた。無線通信デバイスＢ ３０２ｂは、以前、ＤＣ ＨＳＤＰＡ ２１０を使用して基地局３１２（例えば、ノードＢ）と通信しており（図２参照）、ＤＣ ＨＳＤＰＡ Ｂ ３１０ｂを使用して基地局３１２と通信し続けうる。
【００４１】
図３Ａは、ＭＩＭＯとＤＣ ＨＳＤＰＡとの動的スイッチングのための方法３００を示すフロー図である。方法３００は、通信デバイスによって実行されうる。例えば、方法３００は、コントローラ１１６（例えば、ＲＮＣ）および／または基地局１１２（例えば、ノードＢ）によって実行されうる。通信デバイス１１２、１１６は、１または複数の無線通信デバイス１０２に対して接続セットアップを開始しうる。例えば、コントローラ１１６および／または基地局１１２は、無線リソース制御（ＲＲＣ）接続セットアップを実行しうる。例えば、基地局１１２および／またはコントローラ１１６は、１または複数の無線通信デバイス１０２との無線接続を確立しうる。これは、基地局１１２と、１または複数の無線通信デバイス１０２との間でメッセージを送信および／または受信することによって（例えば、交渉することによって）達成されうる。
【００４２】
通信デバイス１１２、１１６は、１または複数の無線通信デバイス１０２（例えば、ＵＥ）のためにＭＩＭＯおよびＤＣ ＨＳＤＰＡの能力を獲得することができる。例えば、基地局１１２および／またはコントローラ１１６は、各無線通信デバイス１０２が、ＭＩＭＯおよび／またはＤＣ ＨＳＤＰＡで受信および／または動作できるか否かを示すメッセージを、その無線通信デバイスから要求および／または受信しうる。
【００４３】
通信デバイス１１２、１１６は、無線通信システム１００におけるＭＩＭＯ １０８とＤＣ ＨＳＤＰＡ １１０の共存を最適化しうる（３０６）。例えば、通信デバイス１１２、１１６は、無線通信システム１００の性能を改善しようとして、ＭＩＭＯ １０８からＤＣ ＨＳＤＰＡ １１０に、および／または、ＤＣ ＨＳＤＰＡ １１０からＭＩＭＯ １０８に、１または複数の無線通信デバイス１０２を動的に切り替えることができる。例えば、通信デバイス１１２、１１６は、最も有益となるように（例えば、各無線通信デバイス１０２および／または、全体として無線通信システムに対して）、ＭＩＭＯ １０８またはＤＣ ＨＳＤＰＡ １１０を各無線通信デバイス１０２に割り当てようとしうる。「最適化する（optimize）」という用語は、実際に最適な性能が達成されることを必ずしも意味するわけではないことに注意されたい。本明細書で使用される場合、「最適化する」という用語は、無線通信システム１００の性能を改善する試みを表す。このように、最適化すること、および、別の類似した用語は、無線通信システムにおけるある程度の改善が実際に達成されたこと、あるいは、改善が達成されなかったことを意味しうる。ＭＩＭＯ １０８とＤＣ ＨＳＤＰＡ １１０の共存を最適化することが、より詳細に下に論述される。
【００４４】
図４は、ＭＩＭＯ １０８とＤＣ ＨＳＤＰＡ １１０との動的スイッチングのためのコントローラ４１６の１つの構成を示すブロック図である。コントローラ４１６は、無線通信デバイス４４０のリスト４３８を含みうる。無線通信デバイス４４０のリスト４３８は、各セクタ１０６内で動作する無線通信デバイス４４０の一覧表を含みうる。無線通信デバイス４４０のリスト４３８は、アクティブおよび非アクティブの両方の無線通信デバイス４４０の一覧表を含みうる。各無線通信デバイス４４０の一覧表は、無線通信デバイス１０２の重み４４２を含みうる。各無線通信デバイス１０２の重み４４２は、有効なアクティブ無線通信デバイス４４０の数をカウントする際に使用されうる。各無線通信デバイス４４０の重み４４２は、無線通信デバイス１０２のリソース利用率４４４に従って調整されうる。各無線通信デバイス４４０の一覧表は、さらに、無線通信デバイス１０２のＲＬＣスループット４４６を含みうる。各無線通信デバイス４４０の一覧表は、さらに、エネルギーまたは電力（Ｅｃ）（例えば、パイロットエネルギー）対トータルエネルギーまたはトータル電力スペクトル密度（Ｉｏ）（Ｅｃ／Ｉｏ）４４８を含みうる。いくつかの測定値または係数（例えば、ＲＬＣスループット、Ｅｃ／Ｉｏなど）が、３ＧＰＰ標準に従って記述されるが、別の無線通信システムにおいて、同様の測定値または係数が使用されうることに注意されたい。かくして、そのような名称の使用によって、本明細書の範囲が３ＧＰＰインプリメンテーションに限定されるべきではない。
【００４５】
コントローラ４１６（例えば、ＲＮＣ）は、各セクタ１０６に対するアクティブ無線通信デバイス１０２の有効数４２２を含みうる。コントローラ４１６は、さらに、現在、ＭＩＭＯ １０８を使用している無線通信デバイス１０２のリスト４２４を含みうる。コントローラ４１６は、さらに、現在、ＤＣ ＨＳＤＰＡ １１０を使用している無線通信デバイス１０２のリスト４２６を含みうる。
【００４６】
コントローラ４１６は、スループット閾値４３０を含みうる。スループット閾値は、シグナリングトラフィックスループットに基づきうる。コントローラ４１６は、アクティブ無線通信デバイス１０２の個数別に、１つのスループット閾値４３０を維持しうる。スループット閾値４３０は、無線通信デバイス１０２の数が増加すると下がる。
【００４７】
コントローラ４１６は、アクティブ無線通信デバイス１０２カウンティングモジュール４３２を含みうる。アクティブ無線通信デバイス１０２カウンティングモジュール４３２は、有効なアクティブ無線通信デバイス１０２の数を決定する際にコントローラ４１６を支援しうる。例えば、トータルＲＬＣスループット４４６がスループット閾値４３０よりも高い無線通信デバイス１０２のみがカウントされうる。アクティブ無線通信デバイス１０２カウンティングモジュール４３２は、コントローラ４１６が利用できるサービングＥｃ／Ｉｏ ４４８（例えば、最後の測定報告からの）を用いて、各無線通信デバイス１０２のＲＬＣスループット４４６を分割しうる。次に、アクティブ無線通信デバイス１０２カウンティングモジュール４３２は、ＲＬＣスループット４４６対サービングＥｃ／Ｉｏ ４４８比が最大である無線通信デバイス１０２を見つけうる。次に、アクティブ無線通信デバイス１０２カウンティングモジュール４３２は、この無線通信デバイス１０２を１としてカウントしうる。セクタ１０６内の別の無線通信デバイス１０２の各々は、上の無線通信デバイス１０２のＲＬＣスループット４４６対（Ｅｃ／Ｉｏ）４４８の比率で割られた、無線通信デバイス１０２のＲＬＣスループット４４６対（Ｅｃ／Ｉｏ）４４８の比率によってスケーリングされうる。Ｅｃ／Ｉｏ ４４８の機能は、リソースに対する無線通信デバイス１０２の需要を、さらに一層説明するために使用されうる。
【００４８】
コントローラ４１６は、さらに、分類モジュール４３４を含みうる。分類モジュール４３４は、各セクタ１０６の無線通信デバイス１０２を、最後の測定報告内のサービングＥｃ／Ｉｏ ４４８に従って分類しうる。コントローラ４１６は、さらに、スイッチングモジュール４３６を含みうる。スイッチングモジュールは、本明細書に開示されるシステムおよび方法に従って、ＭＩＭＯ１０８からＤＣ ＨＳＤＰＡ １１０を使用するように無線通信デバイス１０２を切り替え、および／または、ＤＣ ＨＳＤＰＡ １１０からＭＩＭＯ １０８を使用するように無線通信デバイス１０２を切り替える。
【００４９】
図５は、コントローラ１１６による、ＭＩＭＯ １０８とＤＣ ＨＳＤＰＡ １１０との動的スイッチングのための方法の１つの構成５００を例証するフロー図である。この方法５００は、既存の情報に基づき、コントローラ１１６（例えば、ＲＮＣ）によって実行されうる。コントローラ１１６（例えば、ＲＮＣ）は、各セクタ１０６に対するアクティブ無線通信デバイス１０２（例えば、ＵＥ）の有効数を決定しうる（５０２）。例えば、閾値よりも高いトータルＲＬＣスループットを有する無線通信デバイスのみがカウントされる。閾値は、シグナリングトラフィックスループットに基づきうる。トータルカウントの各無線通信デバイス１０２の重みは、そのリソース利用率に従って調整されうる。例えば、各無線通信デバイス１０２のスループットは、コントローラ１１６が利用できる、その無線通信デバイス１０２のサービングＥｃ／Ｉｏ（例えば、最後の測定報告からの）で割られうる。コントローラ１１６は、比率（例えば、スループット／（Ｅｃ／Ｉｏ））が最大である無線通信デバイス１０２を決定し、その無線通信デバイス１０２を１としてカウントする。総数のアクティブユーザのうちの他の無線通信デバイス１０２の各カウントは、上の無線通信デバイス１０２の比率に対する無線通信デバイス１０２の比率（例えば、スループット／（Ｅｃ／Ｉｏ））によってスケーリングされうる。このようにＥｃ／Ｉｏの機能を使用することは、リソースに対する無線通信デバイス１０２の需要を、さらに一層説明しうる。
【００５０】
コントローラ１１６は、スループット閾値を維持することができる（５０４）。例えば、アクティブ無線通信デバイス１０２の個数別に、１つの閾値が存在しうる。この閾値は、無線通信デバイス１０２の数が増加すると下がりうる。
【００５１】
コントローラ１１６は、最後の測定報告のサービングＥｃ／Ｉｏ ４４８を用いて、各セクタ１０６の無線通信デバイス１０２を分類しうる（５０６）。例えば、無線通信デバイス１０２の各々は、最新の測定報告で受信されたサービングＥｃ／Ｉｏ ４４８に従って分類されうるか、あるいは、ランク付けされうる。
【００５２】
コントローラ１１６は、負荷が増大した場合に、より高いＥｃ／Ｉｏ ４４８を有し、ＤＣ ＨＳＤＰＡ １１０を使用する無線通信デバイス１０２を、ＭＩＭＯ １０８を使用するように切り替えうる（５０８）。コントローラ１１６は、より低いＥｃ／Ｉｏ ４４８を有し、ＭＩＭＯ １０８を使用する無線通信デバイス１０２を、ＤＣ ＨＳＤＰＡ １１０を使用するように切り替えうる（５１０）。Ｅｃ／Ｉｏ ４４８の百分位数は、トータルスループットと、アクティブ無線通信デバイス１０２の数のスループット閾値との比率に比例しうる。
【００５３】
図６は、ＭＩＭＯ １０８とＤＣ ＨＳＤＰＡ １１０との動的スイッチングのための基地局６１２の１つの構成を示すブロック図である。基地局６１２は、無線通信デバイス１０２のリスト６５０を含みうる。無線通信デバイス１０２のリスト６５０は、基地局６１２と通信する各無線通信デバイス１０２の一覧表６５２を含みうる。基地局６１２と通信する無線通信デバイス１０２のリスト６５０は、アクティブおよび非アクティブの無線通信デバイス１０２を含みうる。無線通信デバイス１０２の一覧表６５２の各々は、無線通信デバイス１０２の送信電力６５４、有効なアクティブ無線通信デバイス１０２の数を決定する際に各無線通信デバイス１０２に帰する重み６５６、および、無線通信デバイス１０２のリソース利用率６５８を含みうる。各無線通信デバイス１０２の重み６５６は、無線通信デバイス１０２のリソース利用率６５８に従って調整されうる。
【００５４】
無線通信デバイス１０２の一覧表６５２の各々は、さらに、無線通信デバイス１０２によって消費される送信電力のパーセンテージ６６０を含みうる。無線通信デバイス１０２によって消費される送信電力のパーセンテージ６６０は、各無線通信デバイス１０２よって消費される送信電力のパーセンテージ決定モジュール６７２を使用して決定されうる。無線通信デバイス１０２の一覧表６５２の各々は、さらに、無線通信デバイス１０２による平均電力利用率６６２を含みうる。無線通信デバイス１０２による平均電力利用率６６２は、平均電力利用率決定モジュール６７８を使用して決定されうる。無線通信デバイス１０２の一覧表６５２の各々は、さらに、平均チャネル品質インジケータ（ＣＱＩ）６６４を含みうる。ＣＱＩは、ＣＱＩ決定モジュール６８０を使用して決定されうる。無線通信デバイス１０２の一覧表６５２の各々は、さらに、使用されるサービス６６６を含みうる。使用されるサービスは６６６、無線通信デバイス１２０が、現在、ＭＩＭＯ １０８を使用して基地局６１２と通信しているか、ＤＣ ＨＳＤＰＡ １１０を使用して基地局６１２と通信しているかを示しうる。
【００５５】
基地局６１２は、各セクタ１０６に対するアクティブ無線通信デバイス１０２の有効数６６８を含みうる。有効なアクティブ無線通信デバイス１０２の数６６８は、アクティブ無線通信デバイス１０２カウンティングモジュール６７２によって決定されうる。各送信タイムインターバル（ＴＴＩ）の間、アクティブ無線通信デバイス１０２カウンティングモジュール６７２は、各無線通信デバイス１０２によって消費される送信電力のパーセンテージ６６０をカウントしうる。次に、アクティブ無線通信デバイス１０２カウンティングモジュール６７２は、各決定期間の間に、各無線通信デバイス１０２の平均電力利用率６６２を計算しうる。平均電力利用率６６２が電力利用率閾値よりも高い無線通信デバイス１０２のみがカウントされうる。電力利用率閾値は、シグナリングトラフィックに基づきうる。アクティブ無線通信デバイス１０２カウンティングモジュール６７２は、無線通信デバイス１０２のリソース利用率６５８に従って、有効な数６６８のアクティブ無線通信デバイス１０２の各無線通信デバイス１０２の重み６５６を調整しうる。例えば、アクティブ無線通信デバイス１０２カウンティングモジュール６７２は、電力利用率が最大である無線通信デバイス１０２を発見し、この無線通信デバイス１０２を１としてカウントしうる。次に、総数のアクティブ無線通信デバイス１０２のうちのその他全ての無線通信デバイス１０２は、各無線通信デバイス１０２の電力利用率に従って縮小されうる。
【００５６】
基地局６１２は、分類モジュール６８８を含みうる。分類モジュール６８８は、最後の測定報告からの平均ＣＱＩ ６６４に従って、無線通信デバイス１０２の各々を分類しうる。使用されるサービスがＭＩＭＯ １０８である無線通信デバイス１０２について、ＣＱＩは、２つのストリームの合計でありうる。使用されるサービスがＤＣ ＨＳＤＰＡ １１０である無線通信デバイス１０２について、ＣＱＩは、２つのキャリアについての平均でありうる。
【００５７】
基地局６１２は、さらに、コントローラへの要求モジュール６８２を含みうる。コントローラへの要求モジュール６８２は、各無線通信デバイス１０２によって使用されるサービスに関するコントローラ１１６（例えば、ＲＮＣ）への要求を生成および送信しうる。例えば、コントローラへの要求モジュール６８２は、負荷が増大した場合に、より高い平均ＣＱＩを有する、ＤＣ ＨＳＤＰＡ １１０の無線通信デバイス１０２を、ＭＩＭＯ １０８に変更する要求を生成しうる。次に、コントローラへの要求モジュール６８２は、要求をコントローラ１１６に送信しうる。コントローラへの要求モジュール６８２は、さらに、負荷が減少した場合に、より低い平均ＣＱＩを有する、ＭＩＭＯ １０８の無線通信デバイス１０２を、ＤＣ ＨＳＤＰＡ １１０に変更する要求を生成しうる。次に、コントローラへの要求モジュール６８２は、要求をコントローラ１１６に送信しうる。
【００５８】
図７は、基地局１１２およびコントローラ１１６による、ＭＩＭＯ １０８とＤＣ ＨＳＤＰＡ １１０との動的スイッチングのための方法の別の構成７００を示すフロー図である。図７に示される方法７００は、図５に示されるコントローラだけの方法５００よりも効果的に実行しうる。しかしながら、図７の方法７００は、要求および決定のために、基地局１１２とコントローラ１１６との間で新しいシグナリングを要求しうる。
【００５９】
基地局１１２（例えば、ノードＢ）は、各セクタ１０６に対するアクティブ無線通信デバイス１０２の有効数を決定しうる（７０２）。例えば、各送信タイムインターバル（ＴＴＩ）の間、基地局１１２（例えば、ノードＢ）は、各無線通信デバイス１０２によって消費される送信電力のパーセンテージをカウントする。基地局１１２は、さらに、各決定期間の間に、各無線通信デバイスの平均電力利用率を計算しうる。平均電力利用率が閾値よりも高い無線通信デバイスのみがカウントされうる。閾値は、シグナリングトラフィックに基づきうる。トータルカウントにおける各無線通信デバイスの重みは、そのリソース利用率に従って調整されうる。例えば、基地局１１２は、電力利用率が最大である無線通信デバイス１０２を決定し、その無線通信デバイス１０２を１としてカウントしうる。アクティブユーザの総数における他の無線通信デバイス１０２のカウントの各々は、それの電力利用率によってスケーリングされうる。
【００６０】
基地局１１２は、電力利用率閾値を維持しうる（７０４）。例えば、アクティブ無線通信デバイス１２０の個数別に、１つの閾値が存在しうる。この閾値は、無線通信デバイス１０２の数が増加すると低下しうる。
【００６１】
基地局１１２は、最後の測定報告の平均ＣＱＩに従って無線通信デバイス１０２を分類しうる（７０６）。現在、ＭＩＭＯ １０８を使用している無線通信デバイス１０２について、ＣＱＩは、２つのストリームの合計でありうる。現在、ＤＣ ＨＳＤＰＡ １１０を使用している無線通信デバイス１０２について、ＣＱＩは、２つのキャリアについての平均でありうる。例えば、基地局１１２は、そのＣＱＩに基づいて、各無線通信デバイス１０２をランク付けするか、あるいは、分類しうる（７０６）。
【００６２】
次に、基地局１１２は、負荷が増大した場合に、より高い平均ＣＱＩを有し、ＤＣ ＨＳＤＰＡ １１０を使用する無線通信デバイス１０２を、ＭＩＭＯ １０８を使用するように切り替えるための要求をコントローラ１１６に送信しうる（７０８）。基地局１１２は、さらに、負荷が減少した場合に、より低い平均ＣＱＩを有し、ＭＩＭＯ １０８を使用する無線通信デバイス１０２を、ＤＣ ＨＳＤＰＡを使用するように切り替えるための要求をコントローラ１１６に送信しうる（７１０）。ＣＱＩ百分位数は、トータル電力利用率と、アクティブ無線通信デバイスの数におけるトータル電力利用率上の閾値との比率に比例しうる。
【００６３】
図８は、通信デバイス８０１に含まれうるあるコンポーネントを示す。通信デバイス８０１は、基地局１１２（ノードＢ）またはコントローラ１１６（例えば、ＲＮＣ）でありうる。
【００６４】
通信デバイス８０１は、プロセッサ８０３を含む。プロセッサ８０３は、汎用の単一チップまたはマルチチッププロセッサ（例えば、ＡＲＭ）、専用マイクロプロセッサ（例えば、デジタル信号プロセッサ（ＤＳＰ））、マイクロコントローラ、プログラマブルゲートアレイなどでありうる。プロセッサ８０３は、中央処理装置（ＣＰＵ）と呼ばれうる。単一のプロセッサ８０３のみが図８の通信デバイス８０１に示されるが、代替の構成において、プロセッサの組み合わせ（例えば、ＡＲＭとＤＳＰ）も使用されうる。
【００６５】
通信デバイス８０１は、さらに、メモリ８０５を含みうる。メモリ８０５は、電子情報を記憶することができる任意の電子コンポーネントでありうる。メモリ８０５は、ランダムアクセスメモリ（ＲＡＭ）、読取専用メモリ（ＲＯＭ）、磁気ディスク記憶媒体、光記憶媒体、ＲＡＭのフラッシュメモリデバイス、プロセッサに含まれるオンボードメモリ、ＥＰＲＯＭメモリ、ＥＥＰＲＯＭメモリ、レジスタなど、並びに、それらの組み合わせとして組み込まれうる。
【００６６】
データ８０７および命令８０９は、メモリ８０５に記憶されうる。命令８０９は、本明細書に記述された方法を実施するためにプロセサ８０３によって実行可能でありうる。命令８０９を実行することは、メモリ８０５に記憶されたデータ８０７の使用を含みうる。プロセッサ８０３が、命令８０７を実行すると、命令８０７ａの様々な部分が、プロセッサ８０３にロードされ、データ８０９ａの様々な部分が、プロセッサ８０３にロードされうる。
【００６７】
通信デバイス８０１は、さらに、通信デバイス８０１への信号の送信と、そこからの信号の受信を可能にするために送信機８１１および受信機８１３を含みうる。送信機８１１および受信機８１３は、集合的に、トランシーバ８１５と呼ばれうる。アンテナ８１７は、電子的にトランシーバ８１５に結合されうる。通信デバイス８０１は、さらに、複数の送信機、複数の受信機、複数のトランシーバ、および／または、複数のアンテナを含みうる（図示されない）。
【００６８】
通信デバイス８０１の様々なコンポーネントは、電力バス、制御信号バス、状態信号バス、データバスなどを含みうる１または複数のバスによって互いに結合されうる。明瞭さのために、様々なバスが、図８ではバスシステム８１９として示されている。
【００６９】
本明細書に記述された技術は、直交多重化スキームに基づく通信システムを含む様々な通信システムに使用されうる。そのような通信システムの例は、直交周波数分割多元接続（ＯＦＤＭＡ）システム、単一キャリア周波数分割多元接続（ＳＣ−ＦＤＭＡ）システムなどを含む。ＯＦＤＭＡシステムは、システム帯域幅全体を複数の直交サブキャリアに分割する変調技術である直交周波数分割多重（ＯＦＤＭ）を利用する。これらのサブキャリアは、さらに、トーン、ビンなどとも呼ばれうる。ＯＦＤＭの場合、各サブキャリアは、データで独立に変調されうる。ＳＣ−ＦＤＭＡシステムは、システム帯域幅にわたって分散されたサブキャリア上で送信するためにインターリーブドＦＤＭＡ（ＩＦＤＭＡ）を、隣接サブキャリアのブロック上で送信するためにローカライズドＦＤＭＡ（ＬＦＤＭＡ）を、または、隣接サブキャリアの複数のブロック上で送信するためにエンハンスドＦＤＭＡ（ＥＦＤＭＡ）を利用しうる。一般的に、変調シンボルは、ＯＦＤＭの場合に周波数ドメインで送信され、ＳＣ−ＦＤＭＡの場合に時間ドメインで送信される。
【００７０】
「決定すること（determining）」という用語は、広範囲の動作を含み、そのため、「決定すること」は、算出すること（calculating）、計算すること（computing）、処理すること（processing）、引き出すこと（deriving）、調べること（investigating）、ルックアップすること（looking up）（例えば、テーブル、データベース、または別のデータ構造でルックアップすること）、確かめること（ascertaining）などを含むことができる。さらに、「決定すること」は、受信すること（receiving）（例えば、情報を受信すること）、アクセスすること（accessing）（例えば、メモリ内のデータにアクセスすること）などを含みうる。さらに、「決定すること」は、解決すること（resolving）、選定すること（selecting）、選択すること（choosing）、確立すること（establishing）などを含みうる。
【００７１】
「〜に基づいて（based on）」という表現は、別段明白に特定されない限り、「〜にのみ基づいて（based only on）」を意味しない。換言すると、「〜に基づいて」という表現は、「〜にのみ基づいて」および「少なくとも〜に基づいて（based at least on）」の両方を記述しうる。
【００７２】
「プロセッサ（processor）」という用語は、汎用プロセッサ、中央処理装置（ＣＰＵ）、マイクロプロセッサ、デジタル信号プロセッサ（ＤＳＰ）、コントローラ、マイクロコントローラ、ステートマシンなどを包含するように広く解釈されるべきである。いくつかの状況下で、「プロセッサ」は、特定用途向け集積回路（ＡＳＩＣ）、プログラマブル論理デバイス（ＰＬＤ）、フィールドプログラマブルゲートアレイ（ＦＰＧＡ）などを指しうる。「プロセッサ」という用語は、例えば、ＤＳＰとマクロプロセッサ、複数のマイクロプロセッサ、ＤＳＰコアに結合した１つ以上のマイクロプロセッサ、あるいは、別のそのような構成の組み合わせのような処理デバイスの組み合わせを指しうる。
【００７３】
「メモリ（memory）」という用語は、電子情報を記憶することができる任意の電子コンポーネントを包含するために広く解釈されるべきである。メモリという用語は、ランダムアクセスメモリ（ＲＡＭ）、読取専用メモリ（ＲＯＭ）、不揮発性ランダムアクセスメモリ（ＮＶＲＡＭ）、プログラマブル読取専用メモリ（ＰＲＯＭ）、消去可能プログラマブル読取専用メモリ（ＥＰＲＯＭ）、電気的消去可能ＰＲＯＭ（ＥＥＰＲＯＭ）、フラッシュメモリ、磁気または光学データ記憶装置、レジスタなどのような様々なタイプのプロセッサ可読媒体を指しうる。メモリは、プロセッサが、メモリから情報を読み取り、および／または、メモリに情報を書き込むことができる場合、プロセッサと電子的に通信状態にあるとみなされる。プロセサに内蔵されたメモリは、プロセッサと電子的に通信する
「命令（instructions）」および「コード（code）」という用語は、あらゆるタイプのコンピュータ可読ステートメントを包含するために広く解釈されるべきである。例えば、「命令」および「コード」という用語は、１または複数のプログラム、ルーチン、サブルーチン、機能、手順などを指しうる。「命令」および「コード」は、単一のコンピュータ可読ステートメントまたは多くのコンピュータ可読ステートメントを備えうる。
【００７４】
本明細書に記述される機能は、ハードウェア、ソフトウェア、ファームウェア、または、それらの組み合わせに実装されうる。ソフトウェアに実装された場合、その機能は、コンピュータ可読媒体上の１または複数の命令として記憶される。「コンピュータ可読媒体（computer-readable medium）」または「コンピュータプログラムプロダクト（computer-program product）」という用語は、コンピュータまたはプロセッサによってアクセス可能な任意の利用可能な媒体を指しうる。それに制限されない例として、コンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、コンピュータによってアクセスされることができ、命令やデータ構造形で所望のプログラムコードを搬送または記憶するために使用可能な任意の他の媒体を備えうる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーを用いて光学的にデータを再生する。
【００７５】
本明細書に記述された方法は、記述された方法を達成するための１または複数のステップまたは動作を備える。方法のステップおよび／または動作は、特許請求の範囲を逸脱することなく、互いに入れ替えられうる。換言すると、ステップまたは動作の特定の順序が、記述されている方法を適切に動作するために要求されない限り、特定のステップおよび／または動作の順序および／または使用は、特許請求の範囲を逸脱することなく、変更されうる。
【００７６】
さらに、図３、５、７によって示されたもののような、本明細書に記述された方法および技術を実行するためのモジュールおよび／または別の適切な手段が、デバイスによってダウンロードされ、および／または、そうでなれば、デバイスによって獲得されうることは認識されるべきである。例えば、デバイスは、本明細書に記述された方法を実行するための手段の移送を容易にするためにサーバに結合されうる。あるいは、本明細書に記述された様々な方法は、デバイスが、記憶手段をデバイスに結合あるいは提供することで、様々な方法を獲得できるように、記憶手段（例えば、ランダムアクセスメモリ（ＲＡＭ）、読取専用メモリ（ＲＯＭ）、コンパクトディスク（ＣＤ）またはフロッピーのような物理記憶媒体）を介して提供されうる。さらに、本明細書に記述された方法および技術をデバイスに提供するための任意の別の適切な技術が利用されうる。
【００７７】
特許請求の範囲が、上に記述された通り設定およびコンポーネントに限定されないことは理解されるべきである。様々な修正、変更、および変形は 、特許請求の範囲から逸脱することなく、本明細書に記述されたシステム、方法、および装置の配列、動作および細部において実施されうる。
下記に本願出願時の請求項１−４２に対応する記載を付記１−４２として表記する。
付記１
多重入力多重出力（ＭＩＭＯ）とデュアルセル高速ダウンリンクパケットアクセス（ＤＣ ＨＳＤＰＡ）との動的スイッチングのために構成された通信デバイスであって、
プロセッサと、
前記プロセッサと電子的通信状態にあるメモリと、
前記メモリに記憶された命令と
を備え、
前記命令は、
１または複数の無線通信デバイスに対して接続セットアップを開始し、
前記１または複数の無線通信デバイスのためにＭＩＭＯおよびＤＣ ＨＳＤＰＡの能力を獲得し、
ＭＩＭＯとＤＣ ＨＳＤＰＡの共存を最適化する
ように、前記プロセッサによって実行可能である、通信デバイス。
付記２
前記通信デバイスは、基地局である、付記１に記載の通信デバイス。
付記３
前記通信デバイスは、ノードＢである、付記１に記載の通信デバイス。
付記４
前記通信デバイスは、コントローラである、付記１に記載の通信デバイス。
付記５
前記通信デバイスは、無線ネットワークコントローラ（ＲＮＣ）である、付記１に記載の通信デバイス。
付記６
前記ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）に従って、各セクタの前記無線通信デバイスを分類することと、
負荷が減少した場合に、より高いＥｃ／Ｉｏを有し、ＤＣ ＨＳＤＰＡを使用する無線通信デバイスを、ＭＩＭＯを使用するように切り替えることと、
を備える、付記５に記載の通信デバイス。
付記７
各セクタに対するアクティブ無線通信デバイスの有効数を決定することは、
前記サービングＥｃ／Ｉｏを用いて、各無線通信デバイスの無線リンク制御（ＲＬＣ）スループットを分割することと、
ＲＬＣスループット対サービングＥｃ／Ｉｏの最大比率を有する前記無線通信デバイスを決定することと、
前記ＲＬＣスループット対サービングＥｃ／Ｉｏの最大比率を有する無線通信デバイスを１としてカウントすることと、
他の無線通信デバイスをカウントすることと、ここにおいて、各無線通信デバイスのカウントは、前記無線通信デバイスの前記ＲＬＣスループット対サービングＥｃ／Ｉｏ比で割られた前記無線通信デバイスの前記ＲＬＣスループット対サービングＥｃ／Ｉｏ比によってスケーリングされる、
を備える、付記６に記載の通信デバイス。
付記８
前記ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）に従って、前記各セクタの無線通信デバイスを分類することと、
より低いＥｃ／Ｉｏを有するＭＩＭＯを使用する無線通信デバイスを、ＤＣ ＨＳＤＰＡを使用するように切り替えることと、
を備える、付記５に記載の通信デバイス。
付記９
前記各セクタに対するアクティブ無線通信デバイスの有効数を決定することは、
前記サービングＥｃ／Ｉｏを用いて、各無線通信デバイスの無線リンク制御（ＲＬＣ）スループットを分割することと、
ＲＬＣスループット対サービングＥｃ／Ｉｏの最大比率を有する前記無線通信デバイスを決定することと、
前記ＲＬＣスループット対サービングＥｃ／Ｉｏの最大比率を有する無線通信デバイスを１としてカウントすることと、
前記別の無線通信デバイスをカウントすることと、ここにおいて、各無線通信デバイスのカウントは、前記上の無線通信デバイスの前記ＲＬＣスループット対サービングＥｃ／Ｉｏ比で割られた前記無線通信デバイスの前記ＲＬＣスループット対サービングＥｃ／Ｉｏ比によってスケーリングされる、
を備える、付記８に記載の通信デバイス。
付記１０
前記ＭＩＭＯとＤＣ ＨＳＤＰＡの共存を最適化することは、
各セクタに対するアクティブ無線通信デバイスの有効数を決定することと、
平均チャネル品質インジケータ（ＣＱＩ）に従って無線通信デバイスを分類することと、ここにおいて、各無線デバイスの前記平均ＣＱＩは、最後の測定報告から獲得され、
負荷が増加した場合に、より高い平均ＣＱＩを有し、ＤＣ ＨＳＤＰＡを使用する無線通信デバイスを、ＭＩＭＯを使用するように切り替えるための要求をコントローラに送信することと、
を備える、付記２に記載の通信デバイス。
付記１１
前記コントローラは、無線ネットワークコントローラ（ＲＮＣ）である、付記１０に記載の通信デバイス。
付記１２
各セクタに対するアクティブ無線通信デバイスの有効数を決定することは、
各送信時間インターバル（ＴＴＩ）の間に、各無線通信デバイスによって消費される送信電力のパーセンテージをカウントすることと、
各決定期間の間に、各無線通信デバイスの平均電力利用率を計算することと、
前記無線通信デバイスのリソース利用率に従って、前記各セクタに対するアクティブ無線デバイスの有効数における各無線通信デバイスの重みを調整することと、ここにおいて、電力利用率が最大である前記無線通信デバイスは、１としてカウントされ、
その他全ての無線通信デバイスをカウントすることと、ここにおいて、前記各無線通信デバイスの重みは、各無線通信デバイスの前記電力利用率によってスケーリングされる、
を備える、付記１０に記載の通信デバイス。
付記１３
前記ＭＩＭＯとＤＣ ＨＳＰＤＡの共存を最適化することは、
各セクタに対するアクティブ無線通信デバイスの有効数を決定すること、
平均チャネル品質インジケータ（ＣＱＩ）に従って無線通信デバイスを分類することと、ここで、各無線通信デバイスの前記平均ＣＱＩは、最後の測定報告から獲得され、
負荷が減少した場合に、より低い平均ＣＱＩを有するＭＩＭＯを使用する無線通信デバイスを、ＤＣ ＨＳＤＰＡを使用するように切り替えるための要求をコントローラに送信することと
を備える、付記２に記載の通信デバイス。
付記１４
前記コントローラは、無線ネットワークコントローラ（ＲＮＣ）である、付記１３に記載の通信デバイス。
付記１５
各セクタに対するアクティブ無線通信デバイスの有効数を決定することは、
各送信時間インターバル（ＴＴＩ）の間に、各無線通信デバイスによって消費される送信電力のパーセンテージをカウントすることと、
各決定期間の間に、各無線通信デバイスの平均電力利用率を計算することと、
前記無線通信デバイスのリソース利用率に従って、各セクタに対するアクティブ無線デバイスの有効数における各無線通信デバイスの重みを調整することと、ここにおいて、電力利用率が最大である前記無線通信デバイスは、１としてカウントされ、
その他全ての無線通信デバイスをカウントすることと、ここにおいて、前記各無線通信デバイスの重みは、前記各無線通信デバイスの電力利用率によってスケーリングされる、
を備える、付記１３に記載の通信デバイス。
付記１６
多重入力多重出力（ＭＩＭＯ）と、デュアルセル高速ダウンリンクパケットアクセス（ＤＣ ＨＳＤＰＡ）との動的スイッチングのための方法であって、
通信デバイスによって、１または複数の無線通信デバイスに対して接続セットアップを開始することと、
前記通信デバイスによって、前記１または複数の無線通信デバイスのためにＭＩＭＯおよびＤＣ ＨＳＤＰＡの能力を獲得することと、
前記通信デバイスによって、ＭＩＭＯとＤＣ ＨＳＤＰＡの共存を最適化することと
を備える、方法。
付記１７
前記通信デバイスは、基地局である、付記１６に記載の方法。
付記１８
前記通信デバイスは、ノードＢである、付記１６に記載の方法。
付記１９
前記通信デバイスは、コントローラである、付記１６に記載の方法。
付記２０
前記通信デバイスは、無線ネットワークコントローラ（ＲＮＣ）である、付記１６に記載の方法。
付記２１
前記ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）に従って、各セクタの前記無線通信デバイスを分類することと、
負荷が減少した場合に、より高いＥｃ／Ｉｏを有するＤＣ ＨＳＤＰＡを使用する無線通信デバイスを、ＭＩＭＯを使用するように切り替えることと
を備える、付記２０に記載の方法。
付記２２
各セクタに対するアクティブ無線通信デバイスの有効数を決定することは、
前記サービングＥｃ／Ｉｏを用いて、各無線通信デバイスの無線リンク制御（ＲＬＣ）スループットを分割することと、
ＲＬＣスループット対サービングＥｃ／Ｉｏの最大比率を有する前記無線通信デバイスを決定することと、
前記ＲＬＣスループット対サービングＥｃ／Ｉｏの最大比率を有する無線通信デバイスを１としてカウントすることと、
他の無線通信デバイスをカウントすることと、ここにおいて、各無線通信デバイスの前記カウントは、前記無線通信デバイスの前記ＲＬＣスループット対サービングＥｃ／Ｉｏ比で割られた前記無線通信デバイスの前記ＲＬＣスループット対サービングＥｃ／Ｉｏ比によってスケーリングされる、
を備える、付記２１に記載の方法。
付記２３
前記ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）に従って、各セクタの前記無線通信デバイスを分類することと、
より低いＥｃ／Ｉｏを有するＭＩＭＯを使用する無線通信デバイスを、ＤＣ ＨＳＤＰＡを使用するように切り替えることと、
を備える、付記２０に記載の方法。
付記２４
各セクタに対するアクティブ無線通信デバイスの有効数を決定することは、
前記サービングＥｃ／Ｉｏを用いて、各無線通信デバイスの無線リンク制御（ＲＬＣ）スループットを分割することと、
ＲＬＣスループット対サービングＥｃ／Ｉｏの最大比率を有する前記無線通信デバイスを決定することと、
前記ＲＬＣスループット対サービングＥｃ／Ｉｏの最大比率を有する無線通信デバイスを１としてカウントすることと、
他の無線通信デバイスをカウントすることと、ここにおいて、各無線通信デバイスの前記カウントは、前記無線通信デバイスの前記ＲＬＣスループット対サービングＥｃ／Ｉｏ比で割られた前記無線通信デバイスの前記ＲＬＣスループット対サービングＥｃ／Ｉｏ比によってスケーリングされる、
を備える、付記２３に記載の方法。
付記２５
前記ＭＩＭＯとＤＣ ＨＳＤＰＡの共存を最適化することは、
各セクタに対するアクティブ無線通信デバイスの有効数を決定することと、
平均チャネル品質インジケータ（ＣＱＩ）に従って、無線通信デバイスを分類することと、ここにおいて、各無線デバイスの前記平均ＣＱＩは、最後の測定報告から獲得され、
負荷が増加した場合に、高い平均ＣＱＩを有するＤＣ ＨＳＤＰＡを使用する無線通信デバイスを、ＭＩＭＯを使用するように切り替えるための要求をコントローラに送信することと、
を備える、付記１７に記載の方法。
付記２６
前記コントローラは、無線ネットワークコントローラ（ＲＮＣ）である、付記２５に記載の方法。
付記２７
各セクタに対するアクティブ無線通信デバイスの有効数を決定することは、
各送信時間インターバル（ＴＴＩ）の間に、各無線通信デバイスによって消費される送信電力のパーセンテージをカウントすることと、
各決定期間の間に、各無線通信デバイスの平均電力利用率を計算することと、
前記無線通信デバイスのリソース利用率に従って、前記各セクタに対するアクティブ無線デバイスの有効数における各無線通信デバイスの重みを調整することと、ここにおいて、電力利用率が最大である前記無線通信デバイスは、１としてカウントされ、
その他全ての無線通信デバイスをカウントすることと、ここにおいて、各無線通信デバイスの前記重みは、各無線通信デバイスの前記電力利用率によってスケーリングされる、
を備える、付記２５に記載の方法。
付記２８
ＭＩＭＯとＤＣ ＨＳＰＤＡの共存を最適化することは、
各セクタに対するアクティブ無線通信デバイスの有効数を決定すること、
平均チャネル品質インジケータ（ＣＱＩ）によって、無線通信デバイスを分類することと、ここにおいて、各無線通信デバイスの前記平均ＣＱＩは、最後の測定報告から獲得され、
負荷が減少した場合に、より低い平均ＣＱＩを有するＭＩＭＯを使用する無線通信デバイスを、ＤＣ ＨＳＤＰＡを使用するように切り替えるための要求をコントローラに送信することと、
を備える、付記１７に記載の方法。
付記２９
前記コントローラは、無線ネットワークコントローラ（ＲＮＣ）である、付記２８に記載の方法。
付記３０
各セクタに対するアクティブ無線通信デバイスの有効数を決定することは、
各送信時間インターバル（ＴＴＩ）の間に、各無線通信デバイスによって消費される送信電力のパーセンテージをカウントすることと、
各決定期間の間に、各無線通信デバイスの平均電力利用率を計算することと、
前記無線通信デバイスのリソース利用率に従って、各セクタに対するアクティブ無線デバイスの有効数における各無線通信デバイスの重みを調整することと、ここにおいて、電力利用率が最大である前記無線通信デバイスは、１としてカウントされ、
その他全ての無線通信デバイスをカウントすることと、ここにおいて、各無線通信デバイスの前記重みは、各無線通信デバイスの前記電力利用率によってスケーリングされる、
を備える、付記２８に記載の方法。
付記３１
多重入力多重出力（ＭＩＭＯ）とデュアルセル高速ダウンリンクパケットアクセス（ＤＣ ＨＳＤＰＡ）との動的スイッチングのための装置であって、
１または複数の無線通信デバイスに対して接続セットアップを開始するための手段と、
前記１または複数の無線通信デバイスのためにＭＩＭＯおよびＤＣ ＨＳＤＰＡの能力を獲得するための手段と、
ＭＩＭＯとＤＣ ＨＳＤＰＡの共存を最適化するための手段と
を備える、装置。
付記３２
前記装置は、基地局である、付記３１に記載の装置。
付記３３
前記装置は、コントローラである、付記３１に記載の装置。
付記３４
前記ＭＩＭＯとＤＣ ＨＳＤＰＡの共存を最適化するための手段は、
各セクタに対するアクティブ無線通信デバイスの有効数を決定するための手段と、
最後の測定報告のサービングエネルギー対トータルエネルギー比（Ｅｃ／Ｉｏ）に従って、各セクタの前記無線通信デバイスを分類するための手段と、
負荷が減少した場合に、より高いＥｃ／Ｉｏを有するＤＣ ＨＳＤＰＡを使用する無線通信デバイスを、ＭＩＭＯを使用するように切り替えるための手段と
を備える、付記３３に記載の装置。
付記３５
ＭＩＭＯとＤＣ ＨＳＤＰＡの共存を最適化するための前記手段は、
各セクタに対するアクティブ無線通信デバイスの有効数を決定するための手段と、
最後の測定報告のサービングエネルギー対トータルエネルギー比（Ｅｃ／Ｉｏ）によって、各セクタの前記無線通信デバイスを分類するための手段と、
より低いＥｃ／Ｉｏを有するＭＩＭＯを使用する無線通信デバイスを、ＤＣ ＨＳＤＰＡを使用するように切り替えるための手段と
を備える、付記３３に記載の装置。
付記３６
前ＭＩＭＯとＤＣ ＨＳＤＰＡの共存を最適化するための前記手段は、
各セクタに対するアクティブ無線通信デバイスの有効数を決定するための手段と、
平均チャネル品質インジケータ（ＣＱＩ）によって無線通信デバイスを分類するための手段と、ここにおいて、各無線デバイスの前記平均ＣＱＩは、最後の測定報告から獲得され、
負荷が増加した場合に、高い平均ＣＱＩを有するＤＣ ＨＳＤＰＡを使用する無線通信デバイスを、ＭＩＭＯを使用するように切り替えるための要求をコントローラに送信するための手段と
を備える、付記３２に記載の装置。
付記３７
ＭＩＭＯとＤＣ ＨＳＰＤＡの共存を最適化するための前記手段は、
各セクタに対するアクティブ無線通信デバイスの有効数を決定するための手段と、
平均チャネル品質インジケータ（ＣＱＩ）に従って無線通信デバイスを分類するための手段と、ここにおいて、各無線通信デバイスの前記平均ＣＱＩは、最後の測定報告から獲得され、
負荷が減少した場合に、より低い平均ＣＱＩを有するＭＩＭＯを使用する無線通信デバイスを、ＤＣ ＨＳＤＰＡを使用するように切り替えるための要求をコントローラに送信するための手段と、
を備える、付記３２に記載の装置。
付記３８
命令を記憶するコンピュータ可読媒体を備えた、多重入力多重出力（ＭＩＭＯ）とデュアルセル高速ダウンリンクパケットアクセス（ＤＣ ＨＳＤＰＡ）との動的スイッチングのために構成されたコンピュータプログラムプロダクトであって、前記命令は、
１または複数の無線通信デバイスに対して接続セットアップを開始するためのコードと、
前記１または複数の無線通信デバイスのためにＭＩＭＯおよびＤＣ ＨＳＤＰＡの能力を獲得するためのコードと、
ＭＩＭＯとＤＣ ＨＳＤＰＡの共存を最適化するためのコード
を備える、コンピュータプログラムプロダクト。
付記３９
ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）によって、各セクタの前記無線通信デバイスを分類することと、
負荷が減少した場合に、より高いＥｃ／Ｉｏを有するＤＣ ＨＳＤＰＡを使用する無線通信デバイスを、ＭＩＭＯを使用するように切り替えることと、
を備える、付記３８に記載のコンピュータプログラムプロダクト。
付記４０
ＭＩＭＯとＤＣ ＨＳＤＰＡの共存を最適化することは、
各セクタに対するアクティブ無線通信デバイスの有効数を決定することと、
最後の測定報告のサービングエネルギー対トータルエネルギー比（Ｅｃ／Ｉｏ）によって各セクタの前記無線通信デバイスを分類することと、
より低いＥｃ／Ｉｏを有するＭＩＭＯを使用する無線通信デバイスを、ＤＣ ＨＳＤＰＡを使用するように切り替えることと、
を備える、付記３８に記載のコンピュータプログラムプロダクト。
付記４１
ＭＩＭＯとＤＣ ＨＳＤＰＡの共存を最適化することは、
各セクタに対するアクティブ無線通信デバイスの有効数を決定することと、
平均チャネル品質インジケータ（ＣＱＩ）によって無線通信デバイスを分類することと、ここにおいて、各無線デバイスの前記平均ＣＱＩは、最後の測定報告から獲得され、
負荷が増加した場合に、より高い平均ＣＱＩを有するＤＣ ＨＳＤＰＡを使用する無線通信デバイスを、ＭＩＭＯを使用するように切り替えるための要求をコントローラに送信することと、
を備える、付記３８に記載のコンピュータプログラムプロダクト。
付記４２
ＭＩＭＯとＤＣ ＨＳＰＤＡの共存を最適化することは、
各セクタに対するアクティブ無線通信デバイスの有効数を決定すること、
平均チャネル品質インジケータ（ＣＱＩ）によって無線通信デバイスを分類することと、ここにおいて、各無線通信デバイスの前記平均ＣＱＩは、最後の測定報告から獲得され、
負荷が減少した場合に、より低い平均ＣＱＩを有するＭＩＭＯを使用する無線通信デバイスを、ＤＣ ＨＳＤＰＡを使用するように切り替えるための要求をコントローラに送信することと、
備える、付記３８に記載のコンピュータプログラムプロダクト。
【図１】
0005329713.tif 000002
【図２】
0005329713.tif 000003
【図３】
0005329713.tif 000004
【図３Ａ】
0005329713.tif 000005
【図４】
0005329713.tif 000006
【図５】
0005329713.tif 000007
【図６】
0005329713.tif 000008
【図７】
0005329713.tif 000009
【図８】
0005329713.tif 000010